(57)【要約】  【課題】  従来のものよりも製造コストを低減することができるという効果を有する偏波変換器及びそれを用いたアンテナ装置を提供すること。  【解決手段】  偏波変換器１０は、積層された複数の誘電体基板１１と、各誘電体基板１１上に所定の間隔で配列された複数の長方形状の金属片１２とを備え、誘電体基板１１の一方の面上において、複数の金属片１２は、長辺及び短辺がそれぞれＹ軸方向及びＸ軸方向に沿うよう、Ｙ軸方向にピッチＰｙで、Ｘ軸方向にピッチＰｘで配列され、偏波変換器１０に入力される入力電波は、Ｚ軸方向に沿って、その電界方向がＹ軸方向と４５度をなす角度で入力されるようにした。【選択図】  図１
2006311421.tif 000002
【特許請求の範囲】
【請求項１】
複数の金属片が配列され、電波を入力する誘電体基板を備え、前記複数の金属片は、それぞれ、第１の方向と前記第１の方向に直交する第２の方向とにおいて互いに異なる誘電率を有し、前記電波の電界方向と前記第１の方向とが所定の角度をなすことを特徴とする偏波変換器。
【請求項２】
前記誘電体基板は、前記電波を入力する第１の面と、この第１の面と対向する第２の面とを含み、前記複数の金属片は、前記第１の面及び前記第２の面の少なくとも一方の面上に配列されたことを特徴とする請求項１に記載の偏波変換器。
【請求項３】
前記複数の金属片のうちの少なくとも１つは、前記誘電体基板の内部に含まれることを特徴とする請求項１又は請求項２に記載の偏波変換器。
【請求項４】
前記複数の金属片は、それぞれ、略長方形状を有することを特徴とする請求項１から請求項３までのいずれか１項に記載の偏波変換器。
【請求項５】
前記誘電体基板は、略円筒形状を有することを特徴とする請求項１から請求項４までのいずれか１項に記載の偏波変換器。
【請求項６】
前記電波の電界方向と前記第１の方向とが略４５度の角度をなすことを特徴とする請求項１から請求項５までのいずれか１項に記載の偏波変換器。
【請求項７】
請求項１から請求項６までのいずれか１項に記載の偏波変換器を前記電波の進行方向に沿って複数重ねたことを特徴とする偏波変換器。
【請求項８】
請求項１から請求項７までのいずれか１項に記載の偏波変換器と、この偏波変換器に電波を出力するアンテナとを備えたことを特徴とするアンテナ装置。
【発明の詳細な説明】
【技術分野】
【０００１】
本発明は、例えば直線偏波の電波を円偏波の電波に変換する偏波変換器及びそれを用いたアンテナ装置に関する。
【背景技術】
【０００２】
従来の偏波変換器としては、例えば図４及び図５に示すようなものが知られている。
【０００３】
まず、図４において、円筒状に形成されたＴＥ１１モードの円形導波管中に薄い誘電体が挿入されたものが図４（ａ）に示され、ＴＥ１１モードの円形導波管中に適当な長さの金属板が軸方向に平行かつ壁面上に垂直に装荷されたものが図４（ｂ）に示されている。図４に示された従来の偏波変換器は、誘電体又は金属板の長さが適度に調節されており、導波管中心の電界Ｅの方向が、誘電体板又は金属板と４５度の角度をなすよう直線偏波の電波が励振されることによって、入力された直線偏波の電波を円偏波の電波に変換して出力するようになっている（例えば、非特許文献１参照。）。
【０００４】
次に、図５において、誘電体シートに金属のメアンダーライン（ジグザグ状の細線）を周期的に配置したメアンダーラインシートが積層されたものが図５（ａ）に示されている。図５（ａ）に示された従来の偏波変換器は、図５（ｂ）に示すように、電界Ｅの方向がメアンダーラインに対して４５度の角度をなすような直線偏波の電波が入力されると、この直線偏波の電波を円偏波の電波に変換して出力するようになっている（例えば、非特許文献２参照。）。
【０００５】
なお、偏波変換後に出力される円偏波又は直線偏波の電波に応じて、偏波変換器は円偏波発生器又は直線偏波発生器と呼ばれたり、或いはこれらは単に偏波発生器と呼ばれたりすることがあるが、本明細書においてはこれらを単に偏波変換器と称する。
【０００６】
【非特許文献１】小西  良弘著「マイクロ波回路の基礎とその応用−基礎知識から新しい応用まで−」総合電子出版，１９９０年発行，ｐｐ．２１６−２１８
【非特許文献２】牧野  滋  他著「３層メアンダーライン円偏波発生器の設計」信学論（Ｂ），ｖｏｌ．Ｊ７１−Ｂ，ｎｏ．１１，１９８８年１１月発行，ｐｐ．１３５８−１３６４
【発明の開示】
【発明が解決しようとする課題】
【０００７】
しかしながら、自由空間を伝搬する電波の偏波を変換することを考慮すると、図４に示された従来の偏波変換器では、新たに、入力電波を導波管に導くためのアンテナや、出力電波を空間に放射するためのアンテナ等が必要になるので、複雑な構成となって製造コストが高くなるという問題があった。
【０００８】
一方、図５に示された従来の偏波変換器では、前述のアンテナを用いることなく、所望の空間に設置するだけで偏波の変換を実現できるが、比較的大きな面積の誘電体基板に、印刷やフォトリソグラフィ等の技術を用いて、メアンダーラインを断線することなく形成するには相当の製造技術を要し、製造歩留が低下し易く製造コストが高くなるという問題があった。
【０００９】
本発明は、このような問題を解決するためになされたものであり、従来のものよりも製造コストを低減することができる偏波変換器及びそれを用いたアンテナ装置を提供するものである。
【課題を解決するための手段】
【００１０】
本発明の偏波変換器は、複数の金属片が配列され、電波を入力する誘電体基板を備え、前記複数の金属片は、それぞれ、第１の方向と前記第１の方向に直交する第２の方向とにおいて互いに異なる誘電率を有し、前記電波の電界方向と前記第１の方向とが所定の角度をなす構成を有している。
【００１１】
この構成により、本発明の偏波変換器は、複数の金属片が配列された誘電体基板が人工誘電体として作用し、従来のものよりも簡単な構造で自由空間を伝搬する電波の偏波を変換することができるので、従来のものよりも製造コストを低減することができる。
【００１２】
また、本発明の偏波変換器は、前記誘電体基板が、前記電波を入力する第１の面と、この第１の面と対向する第２の面とを含み、前記複数の金属片は、前記第１の面及び前記第２の面の少なくとも一方の面上に配列された構成を有している。
【００１３】
この構成により、本発明の偏波変換器は、誘電体基板の少なくとも一方の面上に複数の金属片が配列された簡単な構造で偏波変換を行うことができるので、従来のものよりも製造コストを低減することができる。
【００１４】
さらに、本発明の偏波変換器は、前記複数の金属片のうちの少なくとも１つが、前記誘電体基板の内部に含まれる構成を有している。
【００１５】
この構成により、本発明の偏波変換器は、複数の金属片のうちの少なくとも１つが誘電体基板の内部に含まれて配列された簡単な構造で偏波変換を行うことができるので、従来のものよりも製造コストを低減することができる。
【００１６】
さらに、本発明の偏波変換器は、前記複数の金属片が、それぞれ、略長方形状を有する構成を有している。
【００１７】
この構成により、本発明の偏波変換器は、複数の金属片が、それぞれ、第１の方向と第１の方向に直交する第２の方向とにおいて互いに異なる誘電率を有するので、人工誘電体として作用し、偏波変換を行うことができる。
【００１８】
さらに、本発明の偏波変換器は、前記誘電体基板が、略円筒形状を有する構成を有している。
【００１９】
この構成により、本発明の偏波変換器は、直線偏波の電波を出力するアンテナを円筒の中心に設置することにより、水平面３６０度の範囲にわたって円偏波の電波を出力することができる。
【００２０】
さらに、本発明の偏波変換器は、前記電波の電界方向と前記第１の方向とが略４５度の角度をなす構成を有している。
【００２１】
この構成により、本発明の偏波変換器は、直線偏波の電波を円偏波の電波に変換することができる。
【００２２】
さらに、本発明の偏波変換器は、偏波変換器を前記電波の進行方向に沿って複数重ねた構成を有している。
【００２３】
この構成により、本発明の偏波変換器は、入力電波が人工誘電体の誘電率の影響を受ける距離を任意に設定することができ、直線偏波の電波を円偏波の電波に変換したり、直線偏波の偏波面の角度を変更したりすることができる。
【００２４】
本発明のアンテナ装置は、偏波変換器と、この偏波変換器に電波を出力するアンテナとを備えた構成を有している。
【００２５】
この構成により、本発明のアンテナ装置は、従来のものよりも簡単な構造で直線偏波や円偏波の電波を出力することができる。
【発明の効果】
【００２６】
本発明は、従来のものよりも製造コストを低減することができるという効果を有する偏波変換器及びそれを用いたアンテナ装置を提供することができるものである。
【発明を実施するための最良の形態】
【００２７】
以下、本発明の実施の形態について図面を用いて説明する。
【００２８】
（第１の実施の形態）
まず、本発明の第１の実施の形態の偏波変換器の構成について図１を用いて説明する。図１は、本実施の形態に係る偏波変換器の構成を示す概略斜視図である。なお、本実施の形態の偏波変換器が、アンテナ放射素子からマイクロ波帯やミリ波帯の直線偏波の電波を入力して円偏波の電波を出力する例を挙げて説明する。
【００２９】
図１に示すように、本実施の形態の偏波変換器１０は、積層された複数の誘電体基板１１と、各誘電体基板１１上に所定の間隔で配列された複数の長方形状の金属片１２とを備えている。誘電体基板１１の一方の面上において、複数の金属片１２は、それぞれ、長方形状に形成されており、長辺及び短辺がそれぞれＹ軸方向及びＸ軸方向に沿うよう、Ｙ軸方向にピッチＰｙで、Ｘ軸方向にピッチＰｘで配列されている。また、偏波変換器１０に入力される入力電波は、図示のように、Ｚ軸方向に沿って、その電界方向がＹ軸方向と４５度をなす角度で入力されるようになっている。
【００３０】
誘電体基板１１は、例えば、１枚あたりの厚さｔが１００μｍ程度で比誘電率が１．５程度の誘電体で構成され、接着剤によって互いに固定され所定枚数だけ積層されている。誘電体基板１１のＸ軸方向及びＹ軸方向の外形寸法は、偏波変換器１０が使用されるアンテナ放射素子の開口面と同等な寸法又は開口面よりも大きな寸法となるよう設定される。
【００３１】
複数の金属片１２は、それぞれ、例えば長辺が０．８ｍｍ程度、短辺が０．１ｍｍ程度の長方形状を有し、例えば厚さが１μｍ程度の銅薄膜や金薄膜がエッチングや印刷等によって誘電体基板１１上に形成れた構成となっている。偏波変換器１０に入力される入力電波は例えばマイクロ波やミリ波帯の電波であり、入力電波の周波数を２１．７ＧＨｚとすると、その波長１３．８ｍｍに対して金属片１２の大きさは十分に小さいものとなっている。
【００３２】
前述のように、入力電波の波長に対して十分に小さな微小金属である複数の金属片１２は、いわゆる人工誘電体を形成し、入力電波に対して誘電体として動作することとなる。通常の誘電体は、その誘電率が材料定数によって一意的に決まるのに対し、人工誘電体の誘電率は、例えば微小金属の配列によって人工的に調節できることが、文献「Ｒ．Ｅ．Ｃｏｌｌｉｎ，  Ｆｉｅｌｄ  Ｔｈｅｏｒｙ  ｏｆ  Ｇｕｉｄｅｄ  Ｗａｖｅｓ，  Ｃｈａｐｔｅｒ  １２，  ＭｃＧｒａｗ−Ｈｉｌｌ，１９６０」に記載されている。なお、人工誘電体の誘電率とは、入力電波が影響を受ける等価的な誘電率をいい、以下「等価誘電率」と呼ぶ。
【００３３】
さらに、最近の研究によれば、例えば文献「Ｈ．Ｋｕｂｏ，  Ｔ．Ｉｒｉｂｅ，  Ａ．Ｓａｎａｄａ，  ａｎｄ  ｉ．Ａｗａｉ，  "Ａｎ  ａｒｔｉｆｉｃｉａｌ  ｄｉｅｌｅｃｔｒｉｃ  ｃｏｍｐｏｓｅｄ  ｏｆ  ｍａｔｅｒｉａｌ  ｓｔｒｉｐｓ  ａｎｄ  ｅｖａｌｕａｔｉｏｎ  ｏｆ  ｉｔｓ  ｐｅｒｍｉｔｔｉｖｉｔｙ"，  Ｄｉｇｅｓｔ  ｏｆ  ２００２  Ａｓｉａ−Ｐａｃｉｆｉｃ  Ｍｉｃｒｏｗａｖｅ  Ｃｏｎｆ．，  ｐｐ．１５８８−１５９１，  ２００２」において、誘電体基板上に金属片を並べ、金属片の大きさ、配列間隔及び積層間隔を変化させることによって、等価誘電率を変化させることができることが報告されている。また、金属片の形状を長方形状にすることにより、金属片の長辺方向と短辺方向とにおける等価誘電率に異方性が生じることが示されている。図６は、誘電体基板上に金属片を並べて誘電体基板を積層したとき、金属片の配列のイメージを示す図であり、前述の金属片の大きさはｈ及びｗ、配列間隔はａ及びｂ、積層間隔はｄでそれぞれ表される。
【００３４】
本発明は、人工誘電体の等価誘電率の異方性に着目し、これを利用して偏波の変換を実現するものである。以下、図１を用いて偏波変換の原理を説明する。
【００３５】
図１に示すように、長方形状の複数の金属片１２が誘電体基板１１上に配列された平板状の人工誘電体としての偏波変換器１０は、誘電体基板１１の面方向にＸ軸方向及びＹ軸方向の等価誘電率の異方性を有し、それぞれの軸方向の等価誘電率をεｘ及びεｙとする。誘電体基板１１の法線方向、すなわちＺ軸方向に沿って所望の直線偏波の電波が入力されることとし、その電界方向は、図中に示されたθが４５度となる角度、すなわちＸ軸方向又はＹ軸方向と４５度をなす角度であるとする。
【００３６】
入射電波は、Ｘ軸方向の成分とＹ軸方向の成分との電波に分けて考えることができ、それぞれの電波はそれぞれの誘電率の影響を受けて、すなわちＸ軸方向の電界ベクトルＥｘはＸ軸方向の誘電率εｘに、Ｙ軸方向の電界ベクトルＥｙはＹ軸方向の誘電率εｙに影響されて人工誘電体を伝搬する。このとき、人工誘電体の厚さをｄとすれば、電波が影響を受ける人工誘電体の電気長はＸ軸方向とＹ軸方向とで異なり、その差は式（１）で与えられる。
【数１】
2006311421.tif 000003
【００３７】
そこで、入力電波の自由空間波長をλ０としたとき、式（２）となるよう等価誘電率と厚さｄとを調節することにより、円偏波の出力電波を得ることができる。
【数２】
2006311421.tif 000004
【００３８】
次に、一例として、周波数が２１．７ＧＨｚの直線偏波の電波を円偏波の電波に変換する際の偏波変換器１０の構成について、シミュレーション結果に基づいて説明する。シミュレーションの条件としては、図１において、誘電体基板１１の厚さを１００μｍ、比誘電率を１．５とした。また、金属片１２の長辺を０．８ｍｍ、短辺を０．１ｍｍ、厚さを１μｍ、傾きθを４５度、電気抵抗を０Ω、ピッチＰｘ及びＰｙをそれぞれ０．３ｍｍ及び１ｍｍとした。
【００３９】
人工誘電体の誘電特性を電磁界シミュレータにより計算した結果、周波数２１．７ＧＨｚのとき、金属片１２の長辺方向の比等価誘電率は５．１８、金属片１２の短辺方向の比等価誘電率は１．８４となり、等価誘電率の異方性が得られることが確認できた。この結果から、偏波変換器１０の出力側から円偏波が出力されるような厚さｄを式（２）より算出すると、ｄ＝３．７ｍｍとなる。したがって、複数の金属片１２が配列された厚さ１００μｍの誘電体基板１１を３７枚積層することによって、本実施の形態の偏波変換器１０は、直線偏波の電波を円偏波の電波に変換することができる。
【００４０】
次に、本実施の形態に係る偏波変換器１０の応用例として、直線偏波の電波を出力するアンテナと組み合わせて、円偏波の電波を出力するアンテナ装置を構成する例を挙げ、図２を用いて説明する。なお、図２（ａ）は、本実施の形態に係る偏波変換器１０を用いたアンテナ装置の概略斜視図、図２（ｂ）は、円偏波の電波を出力する従来のアンテナ装置の概略斜視図である。
【００４１】
以下の説明において、アンテナとして２１ＧＨｚ帯衛星搭載用フェーズドアレーアンテナを例に挙げる。フェーズドアレーアンテナとは、複数のアンテナ放射素子で構成され、電波の流れを示すビームの指向性を機械的ではなく電子的に走査することができるアンテナであり、例えば文献「田中  祥次  他著"２１ＧＨｚ帯衛星搭載用フェーズドアレーアンテナ"，ＮＨＫ技研Ｒ＆Ｄ，ｎｏ．８５，ｐｐ．５０−５５，２００４年５月」に解説されている。
【００４２】
図２（ａ）において、本実施の形態に係るアンテナ装置は、偏波変換器１０と、直線偏波の電波を放射するフェーズドアレーアンテナ１５とを備えている。フェーズドアレーアンテナ１５は、複数のアンテナ放射素子１５ａで構成され、各アンテナ放射素子１５ａは、直線偏波の電波を偏波変換器１０に向かって出力するよう配列されている。前述のように、偏波変換器１０は、入力された直線偏波の電波を円偏波の電波に変換するので、本実施形態に係るアンテナ装置は、フェーズドアレーアンテナ１５の電波放射面側に偏波変換器１０を１個備えるという極めて簡単な構成で、自由空間において偏波変換を行って円偏波の電波を出力することができる。
【００４３】
これに対して従来のアンテナ装置は、図２（ｂ）に示すように、複数のアンテナ放射素子１６ａと、それぞれのアンテナ放射素子１６ａに取り付けられた円偏波発生器１６ｂとを含むフェーズドアレーアンテナ１６で構成され円偏波を出力するものなので、多数の円偏波発生器１６ｂを要し、製造コストが高くなるものであった。
【００４４】
したがって、本実施の形態に係る偏波変換器１０を用いることにより、従来のアンテナ装置よりも極めて低い製造コストで製造できるアンテナ装置を提供することができる。なお、図２においては、直線偏波の電波を円偏波の電波に変換する例を示したが、円偏波の電波を直線偏波の電波に変換するアンテナ装置においても、本実施の形態に係る偏波変換器１０を用いることにより同様の効果が得られる。
【００４５】
以上のように、本実施の形態の偏波変換器１０によれば、誘電体基板１１と、入力電波の波長に対して十分に小さな微小金属である複数の金属片１２とで、いわゆる人工誘電体を形成する構成としたので、従来のものよりも簡単な構造で自由空間を伝搬する電波の偏波を変換することができ、従来のものよりも製造コストを低減することができる。
【００４６】
また、本実施の形態の偏波変換器１０とアンテナとを備えたアンテナ装置は、従来のものよりも簡単な構造で直線偏波や円偏波の電波を出力することができるので、従来のものよりも製造コストを低減することができる。
【００４７】
なお、本実施の形態において、金属片１２が長方形状で構成される例を挙げて説明したが、本発明はこれに限定されるものではなく、Ｘ軸方向及びＹ軸方向にそれぞれ異なる誘電率を有する金属片であればよく、例えば金属片１２を楕円形状としても同様の効果が得られる。なお、長方形状や楕円形状という文言は、完全な長方形や楕円形を限定して意味するものではない。
【００４８】
また、本実施の形態において、偏波変換器１０が、直線偏波の電波を円偏波の電波に変換する例を挙げて説明したが、本発明はこれに限定されるものではなく、偏波変換器１０は円偏波の電波を直線偏波の電波に変換することもでき、この場合でも同様の効果が得られる。
【００４９】
また、本実施の形態において、偏波変換器１０が、直線偏波の電波を円偏波の電波に変換する例を挙げて説明したが、本発明はこれに限定されるものではなく、例えば誘電体基板１１の単体での厚みや積層枚数、金属片１２の各寸法、入力電波の電界方向等を偏向することにより、直線偏波の偏波面の角度を所望の角度に変更することもできる。
【００５０】
また、本実施の形態において、誘電体基板１１を３７枚積層して偏波変換器１０を構成する例を挙げて説明したが、本発明はこれに限定されるものではなく、人工誘電体として所望の特性が得られる構成であれば、例えば、誘電体基板１１を１枚や１０枚積層で構成してもよい。また、誘電体基板１１を複数枚積層して構成する場合に、互いに異なる厚さの誘電体基板１１で構成するものでもよい。
【００５１】
また、本実施の形態において、複数の金属片１２を誘電体基板１１の一方の面上に配列する構成を例に挙げて説明したが、本発明はこれに限定されるものではなく、例えば、複数の金属片１２を誘電体基板１１の両方の面上に配列する構成や、複数の金属片１２の一部又は全部を１枚又は複数の誘電体基板１１の内部に埋め込んで配列する構成としてもよい。
【００５２】
（第２の実施の形態）
まず、本発明の第２の実施の形態の偏波変換器の構成について図３を用いて説明する。図３は、本実施の形態に係る偏波変換器の構成を示す概略斜視図である。なお、本発明の第１の実施の形態の偏波変換器１０と重複する説明は省略する。
【００５３】
図３に示すように、本実施の形態の偏波変換器２０は、円筒形状に形成された複数の誘電体基板２１と、各誘電体基板２１上に所定の間隔で配列された複数の長方形状の金属片２２とを備えている。なお、図３においては、図示を簡略化するため誘電体基板２１を１枚ものとして描いている。また、円筒形状という文言は、完全な円筒形を限定して意味するものではない。
【００５４】
誘電体基板２１の一方の面上において、複数の金属片２２は、それぞれ、長方形状に形成されており、その長手方向と円筒の軸方向との角度θが４５度となるよう各誘電体基板２１上に配列されている。ここで、複数の金属片２２の材質及び寸法は、本発明の第１の実施の形態の偏波変換器１０と同様に構成される。
【００５５】
誘電体基板２１は、例えば、プラスチックフィルムのようなフレキシブルな材料で構成され、所定枚数重ねて接着されて円筒形状に形成される。誘電体基板２１の総厚さｄは、本発明の第１の実施の形態の偏波変換器１０と同様に式（２）に基づいて決定される。
【００５６】
本実施の形態の偏波変換器２０は、前述のように構成されているので、例えば垂直偏波ダイポールアンテナが円筒の中心に設置されたとき、垂直偏波ダイポールアンテナから放射された電波を、水平面３６０度の範囲で偏波変換を行うことができる。なお、垂直偏波とは、直線偏波の偏波面が地面に対して垂直になっているものをいう。
【００５７】
次に、本実施の形態に係る偏波変換器２０の応用例として、水平面で３６０度にわたって電波を放射することができるオムニディレクショナルアンテナと組み合わせたアンテナ装置について説明する。オムニディレクショナルアンテナは、一般に、垂直偏波の電波を放射することは容易であるが、円偏波の電波を放射することは容易ではなく、円偏波の電波を放射するには例えばスロットアンテナのような特殊なアンテナを必要とする。しかしながら、本実施の形態に係る偏波変換器２０を用いれば、電波の放射源として従来の直線偏波オムニディレクショナルアンテナを利用して、円偏波の電波を放射するアンテナ装置を低コストで容易に作製することができる。
【００５８】
以上のように、本実施の形態の偏波変換器２０によれば、円筒形状に形成された複数の誘電体基板２１と、各誘電体基板２１上に所定の間隔で配列された複数の長方形状の金属片２２とを備える構成としたので、直線偏波の電波を出力するアンテナを円筒の中心に設置することにより、水平面３６０度の範囲にわたって円偏波の電波を出力することができる。
【図面の簡単な説明】
【００５９】
【図１】本発明の第１の実施の形態に係る偏波変換器の概略斜視図
【図２】（ａ）本発明の第１の実施の形態に係る偏波変換器１０を用いたアンテナ装置の概略斜視図  （ｂ）従来のアンテナ装置の概略斜視図
【図３】本発明の第２の実施の形態に係る偏波変換器の概略斜視図
【図４】（ａ）円筒状に形成されたＴＥ１１モードの円形導波管中に薄い誘電体が挿入された従来の偏波変換器の概略斜視図  （ｂ）ＴＥ１１モードの円形導波管中に適当な長さの金属板が軸方向に平行かつ壁面上に垂直に装荷された従来の偏波変換器の概略斜視図
【図５】（ａ）誘電体板に金属のメアンダーラインが周期的に配置された従来の偏波変換器の概略斜視図  （ｂ）従来の偏波変換器における電波の電界方向の説明図
【図６】金属片の配列のイメージを示す図
【符号の説明】
【００６０】
１０、２０  偏波変換器
１１、２１  誘電体基板
１２、２２  金属片
１５  フェーズドアレーアンテナ
１５ａ  アンテナ放射素子
１６  従来のフェーズドアレーアンテナ
１６ａ  従来のアンテナ放射素子
１６ｂ  従来の円偏波発生器
【図１】
2006311421.tif 000005
【図２】
2006311421.tif 000006
【図３】
2006311421.tif 000007
【図４】
2006311421.tif 000008
【図５】
2006311421.tif 000009
【図６】
2006311421.tif 000010